(57)【要約】  【課題】  スペースを削減でき、操作性がよく、外観も向上できるミキサ用ラック装置を提供する。  【解決手段】  ミキサ用ラック装置１は、前方にスライド引出可能に設けられたラックスライド部５を備え、ラックスライド部５が、操作面９を上にした状態でミキサ７を搭載可能に構成されている。可動ブランクパネル６１はミキサ７の前面側で昇降可能に設けられており、昇降機構６３はラックスライド部５のスライドに伴って可動ブランクパネル６１を昇降させる。昇降機構６３は、ミキサ収納時に操作面の上側の隙間を塞ぐ上側パネル位置へと可動ブランクパネル６１を上昇させ、ミキサ引出時に前記上側パネル位置より下方の下側パネル位置へ可動ブランクパネル６３を下降させる。【選択図】  図１
2006108524.tif 000002
【特許請求の範囲】
【請求項１】
前方にスライド引出可能に設けられたラックスライド部を備え、前記ラックスライド部が、操作面を上にした状態でミキサを搭載可能に構成されていることを特徴とするミキサ用ラック装置。
【請求項２】
前記ミキサの前面側で昇降可能に設けられた可動ブランクパネルと、前記可動ブランクパネルを、前記ラックスライド部のスライドに伴って昇降させる昇降機構とを備え、前記昇降機構は、ミキサ収納時に操作面の上側の隙間を塞ぐ上側パネル位置へと前記可動ブランクパネルを上昇させ、ミキサ引出時に前記上側パネル位置より下方の下側パネル位置へ前記可動ブランクパネルを下降させることを特徴とする請求項１に記載のミキサ用ラック装置。
【請求項３】
前記昇降機構は、固定側と可動ブランクパネル側の一方に設けられた案内部と他方に設けられた被案内部とを備え、前記案内部が前後方向に対して斜めに設けられていることを特徴とする請求項２に記載のミキサ用ラック装置。
【請求項４】
前記ラックスライド部を、前記ミキサの前記操作面の操作領域全体が引き出されるフル操作位置と、前記操作面の前方部分の簡易操作領域が引き出される簡易操作位置とにロックする複数段スライドロック機構を備えたことを特徴とする請求項１ないし３のいずれかに記載のミキサ用ラック装置。
【請求項５】
前記ラックスライド部のスライドに伴って前後方向に動くように設けられ、前記ミキサの背面ケーブルがクランプされる可動束線アーム機構を備えたことを特徴とする請求項１ないし４のいずれかに記載のミキサ用ラック装置。
【請求項６】
前記可動束線アーム機構は、前記ラックスライド部の前方向スライドに伴って折畳み状態から開状態へ移行するように固定側と可動側を連結するリンク機構と、前記リンク機構の開き動作に伴って前方向に移動するように前記リンク機構に取り付けられた可動横方向アームとを備え、前記背面ケーブルが前記可動横方向アームにクランプされることを特徴とする請求項５に記載のミキサ用ラック装置。
【発明の詳細な説明】
【技術分野】
【０００１】
本発明は、ミキサを収容するように構成されたミキサ用ラック装置に関する。
【背景技術】
【０００２】
従来、デジタルミキサなどのミキサを収容する装置として、ミキサ用ラック装置が知られている。ミキサは、周知のように、イベント会場やコンサート会場、レコーディングスタジオなどで使用される音響調整装置であり、筐体の操作面に多数のフェーダやボリュームつまみといった操作部材が配列されており、これら操作部材を操作して音響調整が行われる。
【０００３】
従来のミキサ用ラック装置は、操作面が垂直になる姿勢でミキサを固定するように構成されている。操作者は、前面に垂直姿勢で露出した操作面上の操作部材を操作する（特許文献１）。
【０００４】
また、ミキサの操作は、フル機能操作と簡易操作に分けることができる。フル機能操作では、ミキサ操作面の操作領域全体が用いられる。そして、専任のオペレータが、操作面全体の操作部材を使うフル操作又は部分機能操作を行う。フル機能操作は例えば結婚式場や大型宴会場などで行われる。これに対して、簡易操作では、操作面の前方部分の簡易操作領域が操作される。簡易操作領域には主としてフェーダつまみが配置されている。簡易操作は、不特定の素人操作を対象としており、限られた特定の音量調整しか行われない。簡易操作は例えば会議室や宴会場などで行われる。
【０００５】
簡易操作でミキサを利用する場合、一般には予めミキサ設置時に業者がフル操作によって詳細の設定を行う。そして、操作面の大半が誤操作防止カバーで覆われる。誤操作防止カバーはねじ等で固定される。これにより簡易操作領域が露出し、露出部分を使って簡易操作が行われる。
【特許文献１】特開平２００４−１１１６５７号公報（第６ページ、図６）
【発明の開示】
【発明が解決しようとする課題】
【０００６】
しかしながら、従来のミキサ用ラック装置は、ミキサの操作パネルが垂直なので、操作パネルの奥行きに相当する高さをミキサのために用意する必要があり、そのために大きなマウントスペースを要する。例えば、操作パネルの奥行きが７Ｕであり、通線スペースが２Ｕであると、９Ｕの高さが必要とされる（１Ｕ＝４４．４５ｍｍ）。
【０００７】
また、従来のミキサ用ラック装置は、操作パネルが垂直なので、フェーダの操作性がよくない。すなわち、操作者にとっては、かがんだ姿勢での上下方向のフェーダ操作を強いられ、音量の微調整が容易でない。
【０００８】
また、簡易操作では、上述したように誤操作防止用カバーが詳細設定部に取り付けられる。この場合、通常使用されないエリアが大きすぎ、スペース効率が悪いという問題がある。また、一般に用いられるスモークタイプのカバーは、詳細設定部が透けて見えるために、簡易操作のイメージを薄れさせており、外観上も不利である。さらに、フル操作において誤操作防止カバーは、工具を使って脱着する必要があり、操作上も不利である。
【０００９】
以上のように、従来のミキサ用ラック装置は、スペース、操作性及び外観上の問題があった。
【００１０】
本発明は従来の問題を解決するためになされたもので、その目的は、スペースを削減でき、操作性がよく、外観も向上できるミキサ用ラック装置を提供することにある。
【課題を解決するための手段】
【００１１】
本発明のミキサ用ラック装置は、前方にスライド引出可能に設けられたラックスライド部を備え、前記ラックスライド部が、操作面を上にした状態でミキサを搭載可能に構成されている。
【００１２】
この構成により、ミキサが操作面を上にして前後方向にスライド可能に収容されるので、上下方向のミキサ用スペースを小さくでき、スペースを削減できる。また、操作面が上にあるので、操作性がよい。また、不使用時にはミキサがラックに収容され、隠れるので、外観上も有利である。このようにして、スペースを削減でき、操作性がよく、外観も向上できるミキサ用ラック装置を提供できる。
【００１３】
また、本発明のミキサ用ラック装置は、前記ミキサの前面側で昇降可能に設けられた可動ブランクパネルと、前記可動ブランクパネルを、前記ラックスライド部のスライドに伴って昇降させる昇降機構とを備え、前記昇降機構は、ミキサ収納時に操作面の上側の隙間を塞ぐ上側パネル位置へと前記可動ブランクパネルを上昇させ、ミキサ引出時に前記上側パネル位置より下方の下側パネル位置へ前記可動ブランクパネルを下降させる。この構成により、ラック収容時には可動ブランクパネルによって操作面の上の隙間が塞がれるので、外観を向上でき、ラック内に進入する埃等も低減できる。
【００１４】
また、本発明のミキサ用ラック装置において、前記昇降機構は、固定側と可動ブランクパネル側の一方に設けられた案内部と他方に設けられた被案内部とを備え、前記案内部が前後方向に対して斜めに設けられている。この構成により、ミキサのスライドに伴って滑らかに可動ブランクパネルを昇降させられる。
【００１５】
また、本発明のミキサ用ラック装置は、前記ラックスライド部を、前記ミキサの前記操作面の操作領域全体が引き出されるフル操作位置と、前記操作面の前方部分の簡易操作領域が引き出される簡易操作位置とにロックする複数段スライドロック機構を備えている。
【００１６】
この構成により、簡易操作用の誤操作防止用カバーを取り付ける代わりに、簡易操作位置でラックスライド部がロックされ、これにより簡易操作領域が限定的にラックから露出する。誤操作防止用カバーが不要になり、不使用エリアをラック内に収容するので、簡易操作でのスペースを削減できる。また誤操作防止用カバーが不要になることで、外観を向上できる。さらに、ドライバー等の工具を使ったカバーの脱着作業が不要であり、操作性も向上できる。
【００１７】
また、本発明のミキサ用ラック装置は、前記ラックスライド部のスライドに伴って前後方向に動くように設けられ、前記ミキサの背面ケーブルがクランプされる可動束線アーム機構を備えている。この構成により、ミキサの背面ケーブルを容易に整然と配置できる。
【００１８】
また、本発明のミキサ用ラック装置において、前記可動束線アーム機構は、前記ラックスライド部の前方向スライドに伴って折畳み状態から開状態へ移行するように固定側と可動側を連結するリンク機構と、前記リンク機構の開き動作に伴って前方向に移動するように前記リンク機構に取り付けられた可動横方向アームとを備え、前記背面ケーブルが前記可動横方向アームにクランプされる。この構成により、簡単な構成で背面ケーブルを整然と配置することができる。
【発明の効果】
【００１９】
本発明は、ミキサを操作面を上にして前後方向にスライド可能に収容するようにミキサ用ラック装置を構成したことにより、上述のように、スペースを削減でき、操作性がよく、外観も向上できるミキサ用ラック装置を提供できる。
【発明を実施するための最良の形態】
【００２０】
以下、本発明の実施の形態のミキサ用ラック装置について、図面を用いて説明する。
【００２１】
本発明の実施の形態に係るミキサ用ラック装置を図１〜図３に示す。図において、ミキサ用ラック装置１は、ラック固定部３とラックスライド部５とを備えている。ラック固定部３は箱形の形状を有している。ラック固定部３とラックスライド部５はラックスライド収納型キットを構成しており、このキットは図示されないラック筐体に固定されている。固定構造としては、ラック固定部３が、ラック筐体の２枚の側板に挟まれた状態で、ねじまたは溶接等でラック筐体に固定されている。
【００２２】
ラックスライド部５は、ラック固定部３に対して前方にスライド引出可能に設けられている。ラックスライド部５は、底面板、側板及び前面パネル板を有しており、デスクの引出しのような構造を有し、ミキサ用ラック装置１内に内蔵された車輪によってスムーズに引出し可能に設けられている。そして、ラックスライド部５は、ミキサ７を搭載可能に構成されている。ミキサ７は、図示のように、操作面９を上にした状態でラックスライド部５にねじ等で固定されている。操作面９には設定状態表示用ディスプレイも備えられ、設定変更内容を確認できる。
【００２３】
図１〜図３は、それぞれ、全閉時、中間ロック時、全開時のミキサ用ラック装置１を示している。図１の全閉状態では、ラックスライド部５が「収納位置」にあり、ミキサ７の全体が収容されている。図２の中間ロック状態では、ラックスライド部５が「簡易操作位置」にあり、図３の全開状態では、ラックスライド部５が「フル操作位置」にある。
【００２４】
ここで、上記の「簡易操作位置」及び「フル操作位置」について説明する。ミキサ７の操作は、フル機能操作と簡易操作に分けられる。フル機能操作では、操作面９の操作領域全体が操作される。一方、簡易操作では、操作面９の前方部分にある簡易操作領域１１が操作される。簡易操作領域には、主としてフェーダ等のつまみが配置されている。フル機能操作は主に専門家によって行われるのに対し、簡易操作は不特定の素人操作者を対象としいている。図２の「簡易操作位置」は、上記の簡易操作領域１１がラック外に引き出される位置であり、図３の「フル操作位置」は、操作面９の操作領域全体が引き出される位置である。例えば、簡易操作位置においてはミキサ７が１６０ｍｍ程度突出し、フル操作位置ではミキサ７が３００ｍｍ程度突出する。
【００２５】
本実施の形態のミキサ用ラック装置１は、ラックスライド部５を収納位置、簡易操作位置、フル操作位置でロックする複数段スライドロック機構を備えている。これにより、ミキサ７は３カ所でロックされ、引出し状態に関していえば２段階のロックが行われる。
【００２６】
また、ミキサ７の背面からは、複数本の背面ケーブル１３が後方に延びている。背面ケーブル１３は、オーディオ入出力のケーブルである。また、電源コード等の他のケーブルも背面ケーブル１３である。図では一部の背面ケーブル１３が示されている。しかし、周知のように、ミキサ７には実際にはより多数の背面ケーブル１３が接続されてよい。
【００２７】
そして、本実施の形態では、背面ケーブル１３を整然と配置するために、可動束線アーム機構１５が備えられている。可動束線アーム機構１５は、ラックスライド部５のスライドに伴って前後方向に動くように構成されており、背面ケーブル１３は可動束線アーム機構１５にクランプされて、ミキサ用ラック装置１の後端へと導かれる。
【００２８】
可動束線アーム機構１５について、図１〜図３に加えて、図４〜図６を参照して説明する。図４〜図６は、ミキサ用ラック装置１の側面図であり、それぞれ、収納位置、簡易操作位置、フル作位置に対応する。図４〜図６では、内部が見えるようにラック固定部３が２点鎖線で示されている。
【００２９】
図４〜図６に示されるように、可動束線アーム機構１５は、リンク機構１７で構成されており、リンク機構１７は固定側リンク１９及び可動側リンク２１を備えている。固定側リンク１９の一端はラック固定部３に固定側回転軸２３で回転可能に結合されている（ピン結合）。そして、固定側リンク１９の他端は、中間回転軸２５で可動側リンク２１の一端と回転可能に結合されている。さらに、可動側リンク２１の他端はラックスライド部５に可動側回転軸２７で回転可能に結合されている。可動側回転軸２３は、ラック固定部３の後端の上方に位置しており、固定されている。可動側回転軸２７は、ラックスライド部５の後端の上方に位置しており、ラックスライド部５と共に前後に移動する。中間回転軸２５は、図４では固定側回転軸２３及び可動側回転軸２７の下方に位置している。
【００３０】
上記より、リンク機構１７は、ラックスライド部５の前方向スライドに伴って折畳み状態から開状態へ移行するように固定側と可動側を連結している。すなわち、図４の収納位置では固定側リンク１９及び可動側リンク２１が折り畳まれている。そして、図５及び図６に示されるように、ラックスライド部５が前進するに従い、固定側リンク１９と可動側リンク２１が開かれる。
【００３１】
上記のリンク機構１７は、ミキサ用ラック装置１の左右両側にそれぞれ設けられている。そして、中間回転軸２５の位置で、両側のリンク機構１７が可動横方向アーム２９で連結されている（図３）。すなわち、可動横方向アーム２９は、左右のリンク結合点の間に掛け渡されている。また、両側のリンク機構１７は、固定回転軸２３の位置で、固定横方向アーム３１で連結されている。
【００３２】
背面ケーブル１３は、ミキサ７の背面から出た後、まず、可動横方向アーム２９にクランプ部品で取り付けられている。背面ケーブル１３は、さらにその先で、固定横方向アーム３１にクランプ部品で取り付けられている。したがって、図４では、リンク機構１７の折畳み状態に従い、背面ケーブル１３がたるんでいる。
【００３３】
上記構成において、ラックスライド部５が収納位置から前進すると、リンク機構１５が折畳み状態から開状態へ移行する。可動横方向アーム２９は、リンク連結点に位置しているので、上記の開き動作に伴い、中間回転軸２５と一緒に固定回転軸２３を中心といて円を描き、前方かつ上方へと移動する。これにより、背面ケーブル１３は、図４のたるんだ状態から、図６の延びた状態へとスムーズに移行する。背面ケーブル１３のテンション変化が抑えられ、コネクタへの負荷も軽くでき、そしてコネクタの抜けも防止できる。また、ミキサの引出し操作もスムーズにできる。
【００３４】
複数の背面ケーブル１３は、それぞれ、ミキサ７との接続点の後方でアーム２９、３１にクランプされる。これにより、隣合う背面ケーブル１３は過度に交差することなく配置される。この状態は、ラックスライド５が収納位置にあるときからフル操作位置にあるときまで保たれる。このように、可動アーム機構を使って背面ケーブル１３を配線することで、背面ケーブル１３を整然と配置できる。
【００３５】
また、図４〜図６には、ミキサ７の搭載角度が示されている。ミキサ７は、卓上にてスタンドアローンで使われるとき、操作面９が傾斜するように構成されている。操作面９の傾斜角は例えば１５度であり、奥側が高くなる。そこで、ラック搭載時は、スタンドアローン状態と比べてミキサ７が後ろに傾けて搭載される。これにより、操作面９は水平に配置される。
【００３６】
次に、前述したスライドロック機構の具体的構成例を説明する。図７〜図１１は、スライドロック機構を示している。図７に示すように、ラックスライド部５の前面側パネル部分には、引出し操作用に凹形状の取っ手３３が設けられており、取っ手部３３の隣にロック解除用のプッシュボタン３５が設けられている。そして、プッシュボタン３５から後方へプッシュロッド３７が延びている。引出し及び収納操作の際には、取っ手部３３に指が掛けられ、プッシュボタン３５が押される。プッシュボタン３５が押されると、プッシュロッド３７が後方に移動し、下記の機構にてロックが解除される。
【００３７】
図８及び図９は、ロック状態におけるスライドロック機構の斜視図及び平面図であり、図１０及び図１１は、ロック解除状態におけるスライドロック機構の斜視図及び平面図である。ラック固定側シャーシ３９は、ラック固定部３の一部である。ラック固定部３には車輪４１が設けられており、これによりラックスライド部５がスムーズに前後方向に移動する。
【００３８】
ラック固定側シャーシ３９の端部には、固定側壁４３が設けられており、固定側壁４３の上端から外向きに、ロック用突起４５が設けられている。図１〜図３の３つのロック位置に対応して、３つのロック用突起４５が設けられている。ただし、図８では、収納位置（全閉）と簡易操作位置（中間ロック）に対応する２つのロック用突起４５が見えている。
【００３９】
ラックスライド部５は、ラック固定側シャーシ３９の固定側壁４３の外側に位置するようにロックスプリング４７を備えている。ロックスプリング４７は、ラック前後方向に細長い板ばねであり、中央部分が固定側壁４３に向けて張り出している。そして、張出し部分にロック穴４９が設けられている。ロック状態では、図８及び図９に示すように、ロック穴４９にロック突起４５が嵌り込み、これにより、ラックスライド部５の前後の動きが拘束されている。
【００４０】
プッシュロッド３７は、ラックスライド部５の底部に相当するトレイ部５１に沿って後方へ延びている。プッシュロッド３７の先端にはロック解除プレート５３が設けられている。ロック解除プレート５３は、トレイ５１に対して支点５５を中心に回動可能に設けられている。また、ロック解除プレート５３は、ロックスプリング４７に向けて解除突起５７を備えている。前出のプッシュボタン３５が押され、プッシュロッド３７が後方に動くと、てこの原理でロック解除プレート５３が回動し、解除突起５７がロックスプリング４７を外側に押す。これにより、図１０及び図１１に示されるように、ロックスプリング４７が弾性変形し、ロックスプリング４７のロック穴４９から固定側シャーシ３９のロック突起４５が外れ、ラックスライド部５が前後に移動可能になる。
【００４１】
以上に本実施の形態のスライドロック機構について説明した。上記のスライドロック機構は、ミキサ用ラック装置１の左右両側にそれぞれ設けられている。
【００４２】
図１に戻ると、ミキサ用ラック装置１は、ミキサ７の前面側に可動ブランクパネル６１を備えている。可動ブランクパネル６１は、ラックスライド部５の前面パネル部分の上方に位置しており、スライド部分の前面の略上半分を覆っており、昇降可能に設けられている。そして、可動ブランクパネル６１を昇降させるために、昇降機構６３が設けられている。昇降機構６３は、ラックスライド部５のスライドに伴って可動ブランクパネル６１を自動的に昇降させる。
【００４３】
図１２〜図１４は、可動ブランクパネル６１とその昇降機構６３を示している。図１２〜図１４では、可動ブランクパネル６１がそれぞれ上端位置、中間位置及び下端位置にある。昇降機構６３としては、ラック固定部３の側板にガイド溝６５が設けられ、可動ブランクパネル６１にガイドピン６７が設けられており、ガイドピン６７がガイド溝６５に嵌っている。ガイド溝６５が案内部であり、ガイドピン６７が被案内部である。ガイド溝６５は、図示のようにラック前後方向に対して斜めに設けられており、ラック奥側で高くなっている。これにより、ラックスライド部５が前方にスライドするときに、ガイドピン６７が自動的に下方に導かれ、可動ブランクパネル６１が下降する。逆に、ラックスライド部５が後方にスライドするときは、ガイドピン６７が自動的に上方に導かれ、可動ブランクパネル６１が上昇する。
【００４４】
また、可動ブランクパネル６１には、縦方向のガイド長穴６９が設けられている。そして、ガイド長穴６９には、ミキサ７の側面の突起７１が嵌っている。突起７１はねじの頭部である。突起７１がガイド長穴６９内で上下に移動し、これにより、ミキサ７に対する可動ブランクパネル６１の前後方向の動きが制限され、可動ブランクパネル６１は、ミキサ７から前方に離れることなく、ミキサ７に沿って昇降する。
【００４５】
次に、昇降機構６３の設定について説明する。図１２では、ミキサ７が収納されており、可動ブランクパネル６１が上側パネル位置にある。上側パネル位置では、操作面９の上の隙間が可動ブランクパネル６１により塞がれる。ここで、ミキサ７の操作面９にはフェーダつまみ等の突起物がある。そのため、操作面９の上側には、ある程度の隙間が必要である。より詳細には、本実施の形態では、図１２等に示すように、ラック前部の両側にてラック固定部３が取付フランジを有しており、取付フランジがラック筐体に固定される。これらフランジの上端が本ユニットの上端であり、ユニット上端と操作面９の距離が上述した隙間の大きさに相当する。そして、この隙間が、本実施の形態では上側パネル位置にある可動ブランクパネル６１により塞がれる。
【００４６】
一方、図１４では、ミキサ７が引き出されており、そして、可動ブランクパネル６１が下側位置にある。下側位置では、可動ブランクパネル６１の上端が操作面９と同じ高さにある。これにより、可動ブランクパネル６１に妨害されることなく容易にミキサ７を操作できる。可動ブランクパネル６１の上端は、操作面９の高さ以下であることが望ましく、さらに下方に位置してもよい。
【００４７】
昇降機構６３のガイド溝６５及びガイドピン６７の位置及び形状は、上記のように可動ブランクパネル６１が移動するように、すなわちミキサ収納時に可動ブランクパネル６１が上側パネル位置へ上昇し、ミキサ引出し時に可動ブランクパネル６１が下側パネル位置に下降するように設定されている。パネル昇降幅は例えば２０〜３０ｍｍ程度である。
【００４８】
また、図１４に示されるように、昇降機構６３は、ミキサ７が比較的少ない幅だけ引き出されたときに可動ブランクパネル６１が下側パネル位置まで移動するように構成されている。ラックスライド部５が簡易操作位置までスライドするよりもかなり前に可動ブランクパネル６１は下側パネル位置に達する。可動ブランクパネル６１が下側パネル位置に達した後、ラックスライド部５がさらに引き出されると、ガイドピン６７はガイド溝６５から外れる。このとき、可動ブランクパネル６１の下端の段差７３が、その下側にあるラックスライド部５の段差７５と係合し、これにより可動ブランクパネル６１が支持され、可動ブランクパネル６１の高さ方向の位置が維持される。
【００４９】
逆に収納時は、ラックスライド部５と共にガイドピン６７が後方に移動して、図１４の位置でガイド溝６５に進入する。さらにラックスライド部５が押し込まれると、ガイドピン６７がガイド溝６５に沿って押し上げられ、可動ブランクパネル６１も上昇する。
【００５０】
以上に、可動ブランクパネル６１とその昇降機構６３について説明した。上記構成では、固定側に案内部としてのガイド溝６５が設けられ、可動ブランクパネル側に被案内部としてのガイドピン６７が設けられた。これに対して、可動側に案内部が設けられ、固定側に被案内部が設けられてもよい。この場合でも、固定側に対して可動側が相対的に移動し、可動ブランクパネル６１が上記の如く昇降すればよい。
【００５１】
次に、本実施の形態のミキサ用ラック装置１の動作を説明する。まず、ミキサ７が収容されているとする。操作者は、ラックスライド部５の前面下方の両側にある取っ手３３に両手の指を掛け、両側のプッシュボタン３５を押す。これにより、スライドロック機構では、プッシュロッド３７が押され、ロック解除プレート５３が回動し、ロックスプリング４７が押され、ロックスプリング４７のロック穴４９からロック用突起４５が外れ、ロックが解除される。
【００５２】
操作者は、プッシュボタン３５を押したまま、ラックスライド部５を少し引き出し、それからプッシュボタン３５を離して、さらにラックスライド部５を引き出す。ロックが解除されているので、ラックスライド部５は前方に移動する。また、ラックスライド部５の前面では、スライド移動に伴って可動ブランクパネル６１が下降し、下側パネル位置へと移動する。
【００５３】
ラックスライド部５がさらに前方に移動すると、スライドロック機構では、ロックスプリング４７が次のロック突起４５に到達する。ロックスプリング４７はスライド過程でロック突起２４に押されて撓む。そして、ロックスプリング４７のロック穴４９がロック突起４５まで達すると、ロックスプリング４７の形状が復元し、ロック穴４９にロック突起４５が嵌り込む。これにより、ラックスライド部５は簡易操作位置にロックされる。
【００５４】
操作者は、再度、プッシュボタン３５を押して、ラックスライド部５を引っ張り出す。これにより、簡易操作位置でのロックが解除され、ラックスライド部５はさらに前方に移動する。そして、ラックスライド部５がフル操作位置まで達したとき、スライドロック機構は次のロック突起４５によりロックされる。
【００５５】
上記の過程で、ラックスライド部５が収納位置をスタートしてから簡易操作位置を超えるまで操作者がプッシュボタン３５を押し続けたとする。この場合は、ラックスライド部５は簡易操作位置でロックされることなく、フル操作位置まで移動する。
【００５６】
また、上記の過程では、ミキサ背部では、可動束線アーム機構１５が機能する。リンク機構１７の固定側リンク１９及び可動側リンク２１が図４の折畳み状態から図６の開状態へ移行する。可動横方向アーム２９は、固定側リンク１９の端部にて、固定回転軸２３を中心として円を描き、前方かつ上方へと移動する。これにより、背面ケーブル１３は、過度なテンションを受けることなくスムーズに、図４のたるんだ状態から図６の延びた状態へと導かれる。
【００５７】
次に、フル操作位置からミキサ７が収容される時の動作を説明する。この場合も、操作者は、ラックスライド部５の前面下方の両側にある取っ手３３に両手の指を掛け、両側のプッシュボタン３５を押す。これにより、スライドロック機構ではロックが解除される。操作者は、プッシュボタン３５を押したまま、ラックスライド部５を少し押し込み、それからプッシュボタン３５を離して、さらにラックスライド部５を押し込む。ロックが解除されているので、ラックスライド部５は後方に移動する。そして、ラックスライド部５が簡易操作位置まで達すると、スライドロック機構は次のロック突起４５によりロックされ、ラックスライド部５が停止する。
【００５８】
操作者は、再度、プッシュボタン３５を押して、ラックスライド部５を押し込む。これにより、簡易操作位置でのロックが解除され、ラックスライド部５はさらに後方に移動する。そして、ラックスライド部５が収納位置まで達したとき、スライドロック機構は次のロック突起４５によりロックされる。
【００５９】
また、ラックスライド部５が収納位置まで近づくと、前面パネル部分では、可動ブランクパネル６１のガイドピン６７がラック固定部３のガイド溝６５に進入し、上昇を開始する。ラックスライド部５が収納位置に達するときには、可動ブランクパネル６１が上側パネル位置に達し、これにより、操作面９の上の隙間が可動ブランクパネル６１で塞がれる。
【００６０】
上記の過程で、ラックスライド部５がフル操作位置をスタートしてから簡易操作位置を超えるまで操作者がプッシュボタン３５を押し続けたとする。この場合は、ラックスライド部５は簡易操作位置でロックされることなく、収納位置まで移動する。
【００６１】
また、上記の過程において、ミキサ背部では、可動束線アーム機構１５が機能する。リンク機構１７の固定側リンク１９及び可動側リンク２１が図６の開状態から図４の折畳み状態へ移行する。可動横方向アーム２９は、固定側リンク１９の端部にて、固定回転軸２３を中心として円を描き、後方かつ下方へと移動する。これにより、背面ケーブル１３は、過度なテンションを受けることなくスムーズに、図６の延びた状態から図４のたるんだ状態へと導かれる。
【００６２】
以上に説明したように、本実施の形態に係るミキサ用ラック装置１によれば、ミキサ７が操作面を上にして前後方向にスライド可能に収容されるので、上下方向のミキサ用スペースを小さくでき、スペースを削減できる。また、操作面９が上にあるので、操作性がよい。また、不使用時にはミキサ７がラックに収容され、隠れるので、外観上も有利である。このようにして、スペースを削減でき、操作性がよく、外観も向上できるミキサ用ラック装置を提供できる。
【００６３】
また、本実施の形態によれば、可動ブランクパネル６１とその昇降機構６３が設けられており、これにより、ラック収容時には可動ブランクパネル６１によって操作面の上の隙間が塞がれるので、外観を向上でき、ラック内に進入する埃等も低減できる。
【００６４】
また、本実施の形態によれば、昇降機構６３が案内部と被案内部で構成され、案内部が前後方向に対して斜めに設けられており、これにより、ミキサ７のスライドに伴って滑らかに可動ブランクパネル６１を昇降させられる。
【００６５】
また、本実施の形態によれば、ラックスライド部５をフル操作位置と簡易操作位置とにロックする複数段スライドロック機構を備えている。これにより、簡易操作用の誤操作防止用カバーを取り付ける代わりに、簡易操作位置でラックスライド部がロックされ、簡易操作領域が限定的にラックから露出する。誤操作防止用カバーをなくし、不使用エリアをラック内に収容するので、簡易操作でのスペースを削減できる。また誤操作防止用カバーをなくすので、外観を向上できる。さらに、ドライバー等の工具を使ったカバーの脱着作業が不要であり、操作性も向上できる。
【００６６】
また、本実施の形態によれば、上述のような可動束線アーム機構を備えたことで、ミキサの背面ケーブルを容易に整然と配置できる。
【００６７】
また、本実施の形態によれば、可動束線アーム機構が上述のリンク機構と可動横方向アームで構成されており、これにより、簡単な構成で背面ケーブルを整然と配置することができる。
【００６８】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００６９】
以上のように、本発明にかかるミキサ用ラック装置は、スペース的に有利で、操作性がよく、外観も向上できるという効果を有し、会場等で使うミキサ用ラック装置等として有用である。
【図面の簡単な説明】
【００７０】
【図１】本発明の実施の形態に係るミキサ用ラック装置の斜視図
【図２】簡易操作位置でのミキサ用ラック装置の斜視図
【図３】フル操作位置でのミキサ用ラック装置の斜視図
【図４】収納位置でのミキサ用ラック装置の側面図
【図５】簡易操作位置でのミキサ用ラック装置の側面図
【図６】フル操作位置でのミキサ用ラック装置の側面図
【図７】スライドロック機構を示す図
【図８】ロック状態におけるスライドロック機構の斜視図
【図９】ロック状態におけるスライドロック機構の平面図
【図１０】ロック解除状態におけるスライドロック機構の斜視図
【図１１】ロック解除状態におけるスライドロック機構の平面図
【図１２】上側パネル位置における可動ブランクパネルとその昇降機構を示す図
【図１３】中間位置における可動ブランクパネルとその昇降機構を示す図
【図１４】下側パネル位置における可動ブランクパネルとその昇降機構を示す図
【符号の説明】
【００７１】
１  ミキサ用ラック装置
３  ラック固定部
５  ラックスライド部
７  ミキサ
９  操作面
１１  簡易操作領域
１３  背面ケーブル
１５  可動束線アーム機構
１７  リンク機構
２９  可動横方向アーム
３１  固定横方向アーム
６１  可動ブランクパネル
６３  昇降機構
６５  ガイド溝
６７  ガイドピン
【図１】
2006108524.tif 000003
【図２】
2006108524.tif 000004
【図３】
2006108524.tif 000005
【図４】
2006108524.tif 000006
【図５】
2006108524.tif 000007
【図６】
2006108524.tif 000008
【図７】
2006108524.tif 000009
【図８】
2006108524.tif 000010
【図９】
2006108524.tif 000011
【図１０】
2006108524.tif 000012
【図１１】
2006108524.tif 000013
【図１２】
2006108524.tif 000014
【図１３】
2006108524.tif 000015
【図１４】
2006108524.tif 000016